(57)【要約】  本発明は、非磁性材料からなるＹＩＧフィルタ（１）又はＹＩＧ発振器のための基体（２）に関する。前記基体はフィルタチャンバ（３）を備え、フィルチャンバ（３）は、チャネル（６）によって相互接続され、カップリングループ（５）によってフィルタチャンバ（３）内で電磁的に結合されたＹＩＧ要素（４）を含む。スロット（１１）及びスロット（１２）は基体（２）内に配置され、そこにカップリングループ（５）に接続される接触突設部（１０）が延出する。凹み（９）はスロット（１１）及びスロット（１２）と交わり、はんだを収容する。接触突設部（１０）は前記はんだによって凹み（９）内に固定される。
2008521300.tif 000002
【特許請求の範囲】
【請求項１】
ＹＩＧフィルタ（１）又はＹＩＧ発振器のための基体（２）であって、該基体（２）は非磁性材料から形成され、該基体（２）内にフィルタチャンバ（３）が形成され、該フィルタチャンバ（３）はチャネル（６）によって互いに接続され、該フィルタチャンバ（３）内にＹＩＧ要素（４）が配置され、該フィルタチャンバ（３）内へと延在するカップリングループ（５）によって電磁的に結合される、基体（２）において、
該基体（２）内に凹み（９）が形成され、その中に、該カップリングループ（５）に結合される接触突設部（１０）が延出することを特徴とする基体（２）。
【請求項２】
該凹み（９）は、該基体の軸方向厚み全体にわたって延在することを特徴とする請求項１記載の基体。
【請求項３】
該フィルタチャンバ（３）の間の該チャネル（６）は、該カップリングループ（５）の、該基体（２）の軸方向への最大挿通深さまで深く形成されてはおらず、それにより、導通システムを形成するために、該チャネルとそれぞれのカップリングループの間に十分な距離を置いていることを特徴とする請求項１又は２記載の基体。
【請求項４】
盲端を持つスロット１１が、該フィルタチャンバ（３）を越えて、外向きに半径方向に外側に延出し、入力共振器及び出力共振器（４）が、スロット（１２）を介して相互接続されていることを特徴とする請求項１乃至請求項３いずれかに記載の基体。
【請求項５】
該盲端を持つスロット１１、及び該入力共振器及び出力共振器（４）の間の該スロット（１２）は、該基体（２）の軸方向厚み全体にわたって延在することを特徴とする請求項４に記載の基体。
【請求項６】
該凹み（９）は、円形、曲線的、又は楕円形の断面を提供することを特徴とする請求項１乃至５のいずれかに記載の基体。
【請求項７】
該凹み（９）は、該フィルタチャンバ（３）の外側に半径方向に、且つ、該入力共振器及び出力共振器（４）の間に配置されていることを特徴とする請求項１乃至６のいずれかに記載の基体。
【請求項８】
該凹み（９）と該スロット（１１）及び（１２）は、交わるようにして形成されることを特徴とする請求項１乃至７のいずれかに記載の基体。
【請求項９】
該凹み（９）は、はんだ素材を収容するのに適していることを特徴とする請求項１乃至８のいずれかに記載の基体。
【請求項１０】
該接触突設部（１０）は、該はんだ素材によって該凹み（９）内に固定されることを特徴とする請求項１乃至９のいずれかに記載の基体。
【請求項１１】
該カップリングループ（５）上に形成された該接触突設部（１０）は、該基体（２）の上側（８）及び下側（７）の同一平面において終端することを特徴とする請求項１乃至１０のいずれかに記載の基体。
【請求項１２】
該接触突設部（１０）は長方形に形成されることを特徴とする請求項１乃至１１のいずれかに記載の基体。
【発明の詳細な説明】
【技術分野】
【０００１】
本発明は、請求項１の前提部分によるＹＩＧフィルタ又はＹＩＧ発振器のための基体に関する。
【背景技術】
【０００２】
ＹＩＧフィルタ又はＹＩＧ発振器は少なくとも1つのＹＩＧ要素を含み、そのＹＩＧ要素は好適には形状が球状で、イットリウム・鉄・ガーネット（ＹＩＧ）から製造される。共振効果はカップリングループによって仲介されるが、そのカップリングループは、ＹＩＧ要素の中心点とカップリングループの曲げ半径の中心点が厳密に合致するように形成され配置されなければならない。
【０００３】
カップリングループを対応付けて形成されているＹＩＧフィルタは、例えば、特許文献１により周知である。この場合、調節可能なＹＩＧフィルタが基体を提供するが、その基体は、カップリング導体として使われる導電性被膜を一縁に配した絶縁薄膜を収容するためのスロットを備える。さらに、ＹＩＧ要素を収容するためフィルタチャンバが配設される。薄膜は、導電性被膜を施した縁の凹みにＹＩＧ要素が配置されるような形で、ＹＩＧ要素上部からスロットへと適合する。ＹＩＧ要素と薄膜は固定位置に付けられている。
【特許文献１】米国特許第４４８０２３８号明細書
【０００４】
カップリング素子としてワイヤループを用いるＹＩＧフィルタの、実地経験から知られる特有の欠点は、カップリングループを手で曲げるＹＩＧフィルタの製造が高価であり、複雑であるとともに高い棄却率も伴うということである。
【発明の開示】
【発明が解決しようとする課題】
【０００５】
従って、本発明の目的は、再現性のある、組み立て精度の高い、予め製作されたカップリングループの使用を可能にする、ＹＩＧフィルタ又はＹＩＧ発振器のための基体を提供することである。
【課題を解決するための手段】
【０００６】
この目的は、請求項１の特徴により達成される。
【０００７】
本発明による基体の有利な他の展開については、従属項に示す。
【発明を実施するための最良の形態】
【０００８】
本発明の好適な例示的実施形態を、図面を参照して以下に示し、以後の段落でより詳細に説明する。図面は以下の通りである。
【０００９】
図１及び図２は、ＹＩＧフィルタ１の例示的実施形態の、それぞれ図解的斜視図及び図解的平面図であり、この例示的実施形態は、基体２を示し、且つ、この例示的実施形態の場合は、同個数のＹＩＧ要素４を伴って基体２に形成される４つのフィルタチャンバ３を示す。
【００１０】
この例の場合、ＹＩＧ要素４は形が球状で、イットリウム・鉄・ガーネットから製造され、カップリングループ５により電磁的に結合されている。
【００１１】
フィルタチャンバ３は、カップリングループ５が挿通されるチャネル６によって相互に接続されている。この状況において、チャネルはそれぞれのカップリングループに対して十分な距離を提供し、カップリングループと導体システムを形成する。フィルタチャンバ３の個数は４個に限定されるわけではなく、それより多くても少なくてもよい。
【００１２】
図１から特に見て取れるように、チャネル６は、基体２の軸方向延長部全体にその全長が達するまで延出していない。チャネル６は、フィルタチャンバ３同士の間に、カップリング導体５の挿通深さを若干上回る特定の深さまで形成されている。図３（Ａ）及び３（Ｂ）は、この状態を、基体２を反対の方向から見た２つの図で示す。図３（Ａ）は基体２の下側７を示すのに対し、図３（Ｂ）は上側８を示す。従って、図３（Ａ）では、フィルタチャンバ３間のチャネル６は、基体２の軸方向厚み全体に達するほどまで延出していないため見えない。チャネル６は、図３（Ｂ）に示すように、上面８からは見える。
【００１３】
対照的に、フィルタチャンバ３を越えて、半径方向に外側に延出する盲端を持つスロット１１は、基体の軸方向厚さ全体にわたり形成されている。スロット１２も、フィルタの入力と出力にある共振器の間に配設される。
【００１４】
凹み９もまた、フィルタチャンバ３の外側に半径方向に形成され、スロット１１及びスロット１３と交わる。フィルタチャンバ３の間に延在するチャネル６と対照的に、凹み９は基体２の全軸方向厚みにわたり延在する。この状況で、凹み９は1つにはカップリングループ５を収容するという目的を達成し、また1つにはカップリングループ５の組み立て時にはんだ素材を挿入できるようにするという目的を達成する。
【００１５】
カップリングループ５の簡単な組み立てを可能にするため、カップリングループ５は、まず安定した精度及び再現性を持つ箔から、エッチング、レーザー切削又は放電加工などの適切な方法により製造される。組み立てを簡単にするため、これらのカップリングループ５は、好ましくはカップリングループ５と一体に形成されていて好ましくは長方形形状の接触突設部１０を提供し、その接触突設部１０の縁の長さは、基体２の軸方向厚みにほぼ対応する。
【００１６】
カップリングループ５がスロット１１及びスロット１３へ挿入されると、組み立て工程時に基体２が載置される組み立て作業面と接触突設部１０が接触するところまで、スロット１１及びスロット１３の奥深く嵌入するので、カップリングループ５の組み立てを促進する。次いで接触突設部１０は基体２の下側７及び上側８の同一平面において終端する。このことで、カップリングループ５が確実に同位置に高精度で常に組み立てられ、且つ、要求される程度の電磁カップリングが確実に達成される。
【００１７】
凹み９に導入されたはんだ素材は、一方ではカップリングループ５が凹み９内にしっかり固定されるように、また他方では基体２とカップリングループ５の間に導電接続が提供されるような形で接触突設部１０を包囲する。この状況において、はんだ素材もまた組み立て作業面まで流れ落ち、従って、同様に、基体２の下側７及び上側８の同一平面において終端し、それにより組み立てが完了後には円滑な構成素子を提供し、それを、カップリングループ５の障害や断線のリスクなしにさらに加工できる。
【００１８】
本発明は、提示された例示的な実施形態に限定されず、任意の設計のＹＩＧフィルタ又はＹＩＧ発振器に適している。本発明の個々の特徴は、任意の要求される方式と組み合わせることができる。
【図面の簡単な説明】
【００１９】
【図１】ＹＩＧ要素とカップリングループを持つＹＩＧフィルタのための基体の好適な例示的実施形態の図解的斜視図
【図２】図１に示した本発明の、ＹＩＧ要素とカップリングループを持つＹＩＧフィルタのための基体の好適な例示的実施形態の図解的平面図
【図３】（Ａ）本発明のＹＩＧ要素とカップリングループがない状態のＹＩＧフィルタのための基体の下から見た図解的平面図、（Ｂ）本発明のＹＩＧ要素とカップリングループがない状態のＹＩＧフィルタのための基体の上から見た図解的平面図
【符号の説明】
【００２０】
１  ＹＩＧフィルタ
２  基体
３  フィルタチャンバ
４  ＹＩＧ要素
５  カップリングループ
６  チャネル
７  下側
８  上側
９  凹み
１０  接触突設部
１１  スロット
１２  スロット
【図１】
2008521300.tif 000003
【図２】
2008521300.tif 000004
【図３】
2008521300.tif 000005
【国際調査報告】
2008521300.tif 000006
2008521300.tif 000007
2008521300.tif 000008
2008521300.tif 000009